(57)【特許請求の範囲】
【請求項１】
受信機から引き出された感知器回線に火災感知器を接続し、前記受信機により前記火災感知器の火災発報を検出して火災警報を出力すると共に火災移報信号を出力する警報システムに於いて、
前記受信機から火災移報信号が入力した場合に、発光制御を指示する制御電文を送信すると共に、予め登録された全ての送信先からの確認応答電文が受信されなかった場合に中継指示電文を送信する光警報制御装置と、
前記制御電文を受信した場合に発光部の発光を開始して所定の発光周期による発光を繰り返す発光制御を行い、前記発光制御中に前記中継指示電文を受信した場合に中継制御電文を生成し、前記発光部の発光との重複を回避するように前記中継制御電文を中継送信する光警報装置と、
を設け、
前記光警報装置は、前記発光部による発光期間の前に前記中継制御電文の送信を中止して所定の休止開始コードを送信すると共に、前記発光期間の後に所定の休止終了コードを送信してから前記中継制御電文の送信を再開することを特徴とする警報システム。
する警報システム。
【請求項２】
受信機から引き出された感知器回線に火災感知器を接続し、前記受信機により前記火災感知器の火災発報を検出して火災警報を出力すると共に火災移報信号を出力する警報システムに於いて、
前記受信機から火災移報信号が入力した場合に、発光制御を指示する制御電文を送信すると共に、予め登録された全ての送信先からの確認応答電文が受信されなかった場合に中継指示電文を送信する光警報制御装置と、
前記制御電文を受信した場合に発光部の発光を開始して所定の発光周期による発光を繰り返す発光制御を行い、前記発光制御中に前記中継指示電文を受信した場合に中継制御電文を生成し、前記発光部の発光との重複を回避するように前記中継制御電文を中継送信する光警報装置と、
を設け、
前記光警報装置は、前記発光部による発光期間のあいだ前記中継制御電文の送信を中止して送信休止中を示す所定の休止コードを送信することを特徴とする警報システム。
【請求項３】
請求項２記載の警報システムに於いて、前記光警報装置は、前記休止コードとして、２進０１の繰り返し、２進でオール０、前記中継制御電文に含まれたパリティチェックコードの反転値を送信することを特徴とする警報システム。
【請求項４】
請求項３記載の警報システムに於いて、前記光警報装置は、前記中継制御電文のコードを、４つの異なる周波数を使用した４値ＦＳＫにおける最小及び最大の２値の周波数を使用して送信し、前記休止コードを前記４値ＦＳＫにおける中間２値の周波数を使用して送信することを特徴とする警報システム。
【請求項５】
受信機から引き出された感知器回線に火災感知器を接続し、前記受信機により前記火災感知器の火災発報を検出して火災警報を出力すると共に火災移報信号を出力する警報システムに於いて、
前記受信機から火災移報信号が入力した場合に、発光制御を指示する制御電文を送信すると共に、予め登録された全ての送信先からの確認応答電文が受信されなかった場合に中継指示電文を送信する光警報制御装置と、
前記制御電文を受信した場合に発光部の発光を開始して所定の発光周期による発光を繰り返す発光制御を行い、前記発光制御中に前記中継指示電文を受信した場合に中継制御電文を生成し、前記発光部の発光との重複を回避するように前記中継制御電文を中継送信する光警報装置と、
を設け、
前記光警報制御装置は、所定の送信時間（Ｔ１）と送信休止時間（Ｔ２）からなる送信周期（Ｔ０）を複数回設定して前記各送信時間の間に制御電文の送信を複数回繰り返すと共に、前記制御電文を受信した場合の所定の発光周期（Ｔｆ）内における電文の所定の位置から発光開始までの電文毎の発光待ち時間情報（Ｔｓｉ）を前記制御電文に含めて送信し、
前記光警報装置は、間欠受信により最初に受信した前記制御電文に含まれる前記発光待ち時間情報（Ｔｓｉ）により発光部の発光を開始して前記発光周期（Ｔｆ）による発光を繰り返すことを特徴とする警報システム。
【請求項６】
請求項５記載の警報システムに於いて、
前記光警報制御装置は、前記中継指示電文に、当該中継指示電文を受信した場合の受信終了から次の発光開始までの発光待ち時間情報（Ｔｒ０）を含めて送信し、
前記中継指示電文を受信した発光制御中の光警報装置は、前記送信時間（Ｔ１）と送信休止時間（Ｔ２）からなる前記送信周期を複数回設定して前記各送信時間（Ｔ１）の間に中継制御電文の送信を複数回繰り返すと共に、前記発光部の発光と中継送信時間が重複しない場合は前記発光待ち時間情報（Ｔｒ０）を電文の中継に要する電文毎の中継所要時間（ΔＴｉ）を加味して補正した発光待ち時間情報（Ｔｒｉ）を前記中継制御電文に含めて中継送信し、前記発光部の発光と中継送信時間が重複する場合は前記発光待ち時間情報（Ｔｒ）を電文の中継に要する電文毎の中継所要時間（ΔＴｉ）及び発光時間（Ｔｗ）を加味して補正した発光待ち時間情報（Ｔｒｉ）を発光後の前記中継制御電文に含めて中継送信し、
中継先の光警報装置は、間欠受信により最初に有効受信した前記中継制御電文に含まれる補正した発光待ち時間情報（Ｔｒｉ）により前記発光部の発光を開始して前記発光周期（Ｔｆ）による発光を繰り返すことを特徴とする警報システム。
【請求項７】
請求項６記載の警報システムに於いて、前記中継所要時間（ΔＴｉ）は、前記光警報制御装置からの前記中継指示電文の受信終了から前記光警報装置による前記中継制御電文の中継送信終了までの時間としたことを特徴とする警報システム。
【請求項８】
請求項７記載の警報システムに於いて、前記中継指示電文を受信した発光制御中の光警報装置は、
前記中継指示電文を送信した最初の発光周期以内で前記中継制御電文の送信を終了する場合は、前記発光待ち時間情報（Ｔｒ０）から前記中継所要時間（ΔＴｉ）を差し引いて補正した発光待ち時間情報（Ｔｒｉ＝Ｔｒ０−ΔＴｉ）を算出して前記中継制御電文に含め、
２番目以降の発光周期以内で前記中継制御電文の送信を終了する場合は、前記発光待ち時間情報に、送信終了タイミングが属する発光周期の順番に応じた１又は複数の発光周期を加算した時間から前記中継所要時間を差し引いて補正した発光待ち時間情報（Ｔｒｉ＝（Ｔｒ０＋ｎ・Ｔｆ）−ΔＴｉ）を算出して前記中継制御電文に含め、
前記発光部を発光した後の発光周期内に前記中継制御電文を送信する場合は、前記補正した発光待ち時間情報（Ｔｒｉ）から発光期間（Ｔｗ）を差し引いて更に補正した発光待ち時間情報（Ｔｒｉ）を算出して前記中継制御電文に含めることを特徴とする警報システム。
【発明の詳細な説明】
【技術分野】
【０００１】
本発明は、受信機により火災感知器の火災発報を受信した場合に、受信機側から警戒区域の光警報装置に制御電文を無線送信して点滅する光により火災の発生を報知する警報システムに関する。
【背景技術】
【０００２】
従来、オフィスビル、店舗ビル、病院、ホテル等の建物には、火災を監視し、火災が発生した場合に、建物内の人々に異常の発生を報知するための警報システムとして、自動火災報知システムが設置されている。このような自動火災報知システムにおいては、火災発生の報知はブザー、ベル、メッセージ等の音響により行なわれるのが一般的である。また、この音響による報知と共に、ＬＥＤや赤色ランプ等を用いた表示報知も適宜行われる。
【０００３】
ところで、近年、火災発生を音響とともに視認性の高い高光度の白色光（フラッシュ光）を点滅することにより火災の発生を報知する警報システムも提案されている（例えば、特許文献１乃至３参照）。このような警報システムによれば、音響だけでなく強い光の点滅により火災発生を報知するため、例えば聴覚不自由者にも、災害の発生を早期に、且つ確実に認識させることができる。
【０００４】
また、配線による手間とコストを低減するため、無線式の警報システムも提案されている（例えば特許文献４参照）。無線式の警報システムは、火災受信機により火災感知器の火災発報を受信した場合に、中継器に電路を介して火災信号を出力して中継器から警報指令信号（制御電文）を光警報装置に送信し、光警報装置は警報指令信号を受信してから所定の遅延時間Δｔ後に発光部を発光駆動し、所定の周期Ｔで発光を繰り返す。また、電波の届かない場所に設置した光警報装置に対しては、途中に電波中継器を設け、警報指令信号を中継している。
【０００５】
電波中継器は、火災受信機に接続した中継器からの警報指令信号を受信すると、周期Ｔを経過した後に警報指令信号を中継送信し、中継先の光警報装置は警報指令信号の受信から所定遅延時間Δｔを経過した時点で発光部を発光駆動し、以後、周期Ｔで発光を繰り返す。この結果、中継の有無に応じて最初の発光には時間ずれがあるが、全ての光警報装置が発光を開始すると周期Ｔによる同期発光が行われ、バラバラのタイミングで発光することによる光過敏性発作の問題を解消可能とする。
【先行技術文献】
【特許文献】
【０００６】
【特許文献１】実用新案登録第３１１３９４６号公報
【特許文献２】特開２００５−１６５７４０号公報
【特許文献３】特開２０１１−１９８１９４号公報
【特許文献４】特開２０１４−１８６４３０号公報
【発明の概要】
【発明が解決しようとする課題】
【０００７】
ところで、光警報を行う無線式の警報システムにあっては、監視対象とする警戒区域の電波環境は様々であり、一日の時間帯や季節等によっても電波環境が変化する可能性がある。このため受信機側の光警報制御装置から制御電文を無線送信する場合、同じ制御電文を連続して複数回送信するようにしている。また、無線式の光警報装置は電池駆動としていることから、十分な電池寿命を確保するために間欠受信を行っている。
【０００８】
このように光通信制御装置により複数回に亘り電文を連続送信し、光警報装置で光制御電文を間欠受信して発光制御するようにした場合、光警報制御装置から連続送信する制御電文の内、どの制御電文を有効に受信するかは、光警報装置が非同期で行っている間欠受信周期毎に行うキャリアセンスのタイミングにより決まり、従来のように周期Ｔ毎の警報指令信号の受信から所定の遅延時間Δｔ後に発光部を発光制御するようにしても、光警報装置の発光タイミングはバラバラとなり、発光タイミングを一致させる発光同期をとることができない問題がある。
【０００９】
また、受信機側の光警報制御装置からの電波が届かない遠い位置に設置している光警報装置については、その間に設置している光警報装置に電波中継機能を持たせ、光制御装置からの制御電文を中継送信するが、この場合にも、連続して中継送信する制御電文の内、どの制御電文を有効に受信するかは、中継先の光警報装置が非同期で行っている間欠受信周期毎に行うキャリアセンスのタイミングにより決まり、光警報装置の発光タイミングはバラバラとなり、同様に、発光タイミングを一致させる発光同期をとることができない問題がある。
【００１０】
また、制御電文を中継送信する光警報装置は、制御電文の中継送信中に所定の発光周期毎に行っている発光タイミングが重なる場合があり、発光部の発光駆動により電池電源の消費電流が増えるため、電源電圧が低下して中継送信が不安定となり、制御電文のビット化け等を生じ、中継先の光警報装置の発光制御が適切に行われずに発光タイミングがバラ付く可能性がある。
【００１１】
本発明は、光警報装置の中継送信中に発光タイミングが重なった場合の通信障害を防止して中継先を含む複数の光警報装置の同期発光を可能とする無線式の警報システムを提供することを目的とする。
【課題を解決するための手段】
【００１２】
（警報システム）
本発明は、受信機から引き出された感知器回線に火災感知器を接続し、受信機により火災感知器の火災発報を検出して火災警報を出力すると共に火災移報信号を出力する警報システムに於いて、
受信機から火災移報信号が入力した場合に、発光制御を指示する制御電文を送信すると共に、予め登録された全ての送信先からの確認応答電文が受信されなかった場合に中継指示電文を送信する光警報制御装置と、
制御電文を受信した場合に発光部の発光を開始して所定の発光周期による発光を繰り返す発光制御を行い、発光制御中に中継指示電文を受信した場合に中継制御電文を生成し、発光部の発光との重複を回避するように中継制御電文を中継送信する光警報装置と、
を設けたことを特徴とする。
【００１３】
（発光中の電文送信休止）
光警報装置は、発光部による発光期間のあいだ中継制御電文の送信を休止する。
【００１４】
（休止開始コードと休止終了コードの送信）
光警報装置は、発光期間の前に中継制御電文の送信を休止して所定の休止開始コードを送信すると共に、発光期間の後に所定の休止終了コードを送信してから中継制御電文の送信を再開する。
【００１５】
（発光中の休止コード送信）
光警報装置は、発光部による発光期間のあいだ中継制御電文の送信を休止して送信休止中を示す所定の休止コードを送信する。ここで、光警報装置は、休止コードとして、２進０１の繰り返し、２進でオール０、又は、中継制御電文に含まれたパリティチェックコードの反転値等を送信する。
【００１６】
（４値ＦＳＫの中間値による休止コードの送信）
光警報装置は、中継制御電文のコードを、４つの異なる周波数を使用した４値ＦＳＫにおける最小及び最大の２値の周波数を使用して送信し、休止コードを４値ＦＳＫにおける中間２値の周波数を使用して送信する。
【００１７】
（連続送信と間欠受信）
光警報制御装置は、所定の送信時間（Ｔ１）と送信休止時間（Ｔ２）からなる送信周期（Ｔ０）を複数回設定して各送信時間（Ｔ１）の間に制御電文の送信を複数回繰り返すと共に、制御電文を受信した場合の所定の発光周期（Ｔｆ）内における電文の所定の位置から発光開始までの電文毎の発光待ち時間情報（Ｔｓｉ）を制御電文に含めて送信し、
光警報装置は、間欠受信により最初に受信した制御電文に含まれる発光待ち時間情報（Ｔｓｉ）により発光部の発光を開始して発光周期（Ｔｆ）による発光を繰り返す。ここで、ｉは電文の順番を示すｉ＝１，２，３，…ｎとなる整数となる。
【００１８】
（制御電文中継）
光警報制御装置は、中継指示電文に、当該中継指示電文を受信した場合の受信終了から次の発光開始までの中継発光待ち時間情報（Ｔｒ０）を含めて送信し、
中継指示電文を受信した発光制御中の光警報装置は、送信時間（Ｔ１）と送信休止時間（Ｔ２）からなる送信周期を複数回設定して各送信時間（Ｔ１）の間に中継制御電文の送信を複数回繰り返すと共に、発光部の発光と中継送信時間が重複しない場合は中継発光待ち時間情報（Ｔｒ０）を電文の中継に要する電文毎の中継所要時間（ΔＴｉ）を加味して補正した中継発光待ち時間情報（Ｔｒｉ）を中継制御電文に含めて中継送信し、発光部の発光と中継送信時間が重複する場合は中継発光待ち時間情報（Ｔｒ０）を電文の中継に要する中継所要時間（ΔＴｉ）及び発光期間（Ｔｗ）を加味して補正した中継発光待ち時間情報（Ｔｒｉ）を発光後の中継制御電文に含めて中継送信し、
中継先の光警報装置は、間欠受信により最初に有効受信した中継制御電文に含まれる補正した中継発光待ち時間情報（Ｔｒｉ）により発光部の発光を開始して発光周期（Ｔｆ）による発光を繰り返す。
【００１９】
（中継所要時間）
中継所要時間（ΔＴ）は、光警報制御装置からの中継指示電文の受信終了から光警報装置による中継制御電文の中継送信終了までの時間とする。
【００２０】
（中継所要時間の詳細）
中継指示電文を受信した発光制御中の光警報装置は、
中継指示電文を送信した最初の発光周期以内で中継制御電文の送信を終了する場合は、中継発光待ち時間情報（Ｔｒ０）から電文毎の中継所要時間（ΔＴｉ）を差し引いて補正した発光待ち時間情報（Ｔｒｉ＝Ｔｒ０−ΔＴｉ）を算出して中継制御電文に含め、
２番目以降の発光周期以内で中継制御電文の送信を終了する場合は、発光待ち時間情報に、送信終了タイミングが属する発光周期の順番に応じた１又は複数の発光周期を加算した時間から中継所要時間を差し引いて補正した中継発光待ち時間情報（Ｔｒｉ＝（Ｔｒ０＋ｎ・Ｔｆ）−ΔＴｉ）を算出して中継制御電文に含め、
発光部を発光した後の発光周期内に中継制御電文を送信する場合は、補正した中継発光待ち時間情報（Ｔｒｉ）から発光期間（Ｔｗ）を差し引いて更に補正した中継発光待ち時間情報（Ｔｒｉ）を算出して中継制御電文に含める。
【発明の効果】
【００２１】
（警報システムの基本的な効果）
本発明は、受信機から引き出された感知器回線に火災感知器を接続し、受信機により火災感知器の火災発報を検出して火災警報を出力すると共に火災移報信号を出力する警報システムに於いて、受信機から火災移報信号が入力した場合に、発光制御を指示する制御電文を送信すると共に、予め登録された全ての送信先からの確認応答電文が受信されなかった場合に中継指示電文を送信する光警報制御装置と、制御電文を受信した場合に発光部の発光を開始して所定の発光周期による発光を繰り返す発光制御を行い、発光制御中に中継指示電文を受信した場合に中継制御電文を生成し、発光部の発光との重複を回避するように中継制御電文を中継送信する光警報装置とを設けるようにしたため、発光駆動により消費電流が増えても中継送信の動作が不安定となってビット化け等による通信障害を起こすことがなく、中継送信を伴う制御電文の送信により複数の光警報装置での光の点滅を一致させる光警報の同期発光を可能とする。
【００２２】
また、中継送信が正常にできれば、光警報装置から中継送信された複数の制御電文を、中継先の光警報装置が間欠受信に応じた適宜のタイミングで受信しても、制御電文の受信終了から受信電文に含まれている発光待ち時間情報を経過した時点で発光部の発光を発光周期に応じて繰り返すことで、中継先を含む複数の光制御装置の発光開始タイミングを一致させ、複数の光警報装置の点滅が一致する同期発光を確実に行うことを可能とする。
【００２３】
（発光中の電文送信休止による効果）
また、光警報装置は、発光部による発光期間のあいだ中継制御電文の送信を休止するようにしたため、中継送信中に発光タイミングが到来しても中継送信と干渉を起こすことがなく、中継送信を伴う制御電文の送信により複数の光警報装置での光の点滅を一致させる光警報の同期発光を可能とする。
【００２４】
（休止開始コードと休止終了コードの送信による効果）
また、光警報装置は、発光期間の前に中継制御電文の送信を休止して所定の休止開始コードを送信すると共に、発光期間の後に所定の休止終了コードを送信してから中継制御電文の送信を再開するようにしたため、中継先の光警報装置は、休止開始コードと休止終了コードの受信により発光に対応した中継制御電文の送信休止を認識して、その間に受信した電文内容を無視し、中継制御電文の通信エラーによる光制御の誤動作を確実に防止可能とする。
【００２５】
（発光中の休止コード送信による効果）
また、光警報装置は、発光部による発光期間のあいだ中継制御電文の送信を休止して送信休止中を示す所定の休止コードを送信し、休止コードとして、２進０１の繰り返し、２進でオール０、又は、中継制御電文に含まれたパリティチェックコードの反転値等を送信するようにしたため、中継先の光警報装置は、休止コードの受信により中継制御電文の中継送信の休止を認識して、その間に受信した電文内容を無視し、光制御の誤動作を確実に防止可能とする。
【００２６】
また、休止コードの送信中に中継先の光警報装置の間欠受信によるキャリアセンスが行われると、間欠受信から継続受信に切り替わり、休止コードに続いて送信される中継制御電文を確実に受信して同期発光となる光制御を行うことを可能とする。
【００２７】
（４値ＦＳＫの中間値による休止コードの送信による効果）
また、光警報装置は、中継制御電文のコードを、４つの異なる周波数を使用した４値ＦＳＫにおける最小及び最大の２値の周波数を使用して送信し、休止コードを４値ＦＳＫにおける中間２値の周波数を使用して送信するようにしたため、４値ＦＳＫの中間２値の周波数で受信した休止コードは無視し、４値ＦＳＫにおける最小及び最大の２値の周波数で受信した電文コードを有効として処理することで、中継先における光制御の誤動作を防止し、同期発光となる光制御を確実に行うことを可能とする。
【００２８】
（連続送信と間欠受信による効果）
また、光警報制御装置は、所定の送信時間（Ｔ１）と送信休止時間（Ｔ２）からなる送信周期（Ｔ０）を複数回設定して各送信時間の間に制御電文の送信を複数回繰り返すと共に、制御電文を受信した場合の所定の発光周期（Ｔｆ）内における電文の所定の位置から発光開始までの発光待ち時間情報（Ｔｓ）を制御電文に含めて送信し、光警報装置は、間欠受信により最初に受信した制御電文に含まれる発光待ち時間情報（Ｔｓ）により発光部の発光を開始して発光周期（Ｔｆ）による発光を繰り返すようにしたため、送信休止時間を挟んで複数回の送信時間の間に制御電文を連続送信することで、キャリアセンスにより間欠受信を行っている光警報装置で、制御電文を確実に受信して光警報制御を行うことを可能とする。
【００２９】
（中継送信による効果）
また、光警報制御装置は、送信先となる全ての光警報装置の識別情報を登録し、制御電文を送信して全ての送信先から確認応答電文が受信されなかった場合に、中継送信を指示する中継指示電文を送信し、光警報装置は、発光制御中に光警報制御装置から中継指示電文を受信した場合に、中継制御電文を生成して中継送信するようにしたため、送信先としている全ての光制御装置で制御電文が受信された場合は不必要な中継を指示せず、制御電文を受信していない光警報装置が存在している場合にのみ中継を指示することで、警戒区域に設置している光警報装置に対する電波環境に対応した中継を可能とし、無駄な中継動作を抑止可能とする。
【００３０】
（制御電文中継による効果）
また、光警報制御装置は、中継指示電文に、当該中継指示電文を受信した場合の受信終了から次の発光開始までの中継発光待ち時間情報（Ｔｒ）を含めて送信し、中継指示電文を受信した発光制御中の光警報装置は、送信時間（Ｔ１）と送信休止時間（Ｔ２）からなる送信周期を複数回設定して各送信時間（Ｔ１）の間に中継制御電文の送信を複数回繰り返すと共に、発光部の発光と中継送信時間が重複しない場合は中継発光待ち時間情報（Ｔｒ０）を電文の中継に要する電文毎の中継所要時間（ΔＴｉ）を加味して補正した中継発光待ち時間情報（Ｔｒｉ）を中継制御電文に含めて中継送信し、発光部の発光と中継送信時間が重複する場合は中継発光待ち時間情報（Ｔｒ０）を電文の中継に要する中継所要時間（ΔＴｉ）及び発光期間（Ｔｗ）を加味して補正した中継発光待ち時間情報（Ｔｒｉ）を発光後の中継制御電文に含めて中継送信し、中継先の光警報装置は、間欠受信により最初に有効受信した中継制御電文に含まれる補正した中継発光待ち時間情報（Ｔｒｉ）により発光部の発光を開始して発光周期（Ｔｆ）による発光を繰り返し、中継所要時間（ΔＴｉ）は、光警報制御装置からの中継指示電文の受信終了から光警報装置による中継制御電文の中継送信終了までの時間とするようにしたため、光警報制御装置は、全ての送信先から確認応答電文が受信されなかった場合に中継指示電文を１回送信することで、間欠受信による制御電文の受信により継続受信を行っている発光制御中の光警報装置が中継指示電文の受信に基づき、複数の中継制御電文を繰り返し送信する中継制御を行い、各中継電文に含まれる中継所要時間又は中継所要時間と発光期間を加味して補正した中継発光待ち時間情報を含めることで、中継先の１又は複数の光警報装置はそれぞれの間欠受信に応じて異なるタイミングで中継制御電文を受信しても、制御電文の受信終了から受信電文に含まれている補正した中継発光待ち時間情報を経過した時点で発光部の発光を発光周期に応じて繰り返すことで、中継先の光制御装置の発光開始タイミングを一致させ、同時に、既に発光制御中にある中継元の光警報装置の点滅にも一致させ、制御電文を中継した場合にも複数の光警報装置の同期発光を確実に行うことを可能とする。
【００３１】
また、光警報装置に中継機能を持たせておくことで、専用の中継装置を設ける必要がなく、システム構成を簡単にしてコスト低減を可能とする。
【００３２】
（中継所要時間の算出による効果）
また、中継指示電文を受信した発光制御中の光警報装置は、中継指示電文を送信した最初の発光周期以内で中継制御電文の送信を終了する場合は、中継発光待ち時間情報（Ｔｒ０）から電文毎の中継所要時間（ΔＴｉ）を差し引いて補正した中継発光待ち時間情報（Ｔｒｉ＝Ｔｒ０−ΔＴｉ）を算出して中継制御電文に含め、２番目以降の発光周期以内で中継制御電文の送信を終了する場合は、中継発光待ち時間情報（Ｔｒ０）に、送信終了タイミングが属する発光周期の順番に応じた１又は複数の発光周期（Ｔｆ）を加算した時間から電文毎の中継所要時間（ΔＴｉ）を差し引いて補正した中継発光待ち時間情報（Ｔｒｉ＝（Ｔｒ０＋ｎ・Ｔｆ）−ΔＴｉ）を算出して中継制御電文に含め、発光部を発光した後の発光周期内に中継制御電文を送信する場合は、補正した中継発光待ち時間情報（Ｔｒｉ）から発光期間（Ｔｗ）を差し引いて更に補正した中継発光待ち時間情報（Ｔｒｉ）を算出して中継制御電文に含めるようにしたため、中継指示電文の送信に先立つスケジュール管理により、中継発光待ち時間情報（Ｔｒ０）を中継所要時間（ΔＴｉ）又は中継所要時間（ΔＴｉ）と発光期間（Ｔｗ）から補正した中継発光待ち時間情報（Ｔｒｉ）を求め、送信タイミングの異なる中継制御電文に含めて送信することで、中継先での同期発光を確実に可能とする。
【図面の簡単な説明】
【００３３】
【図１】制御電文の無線通信により光警報制御を行う警戒システムの実施形態を示したブロック図
【図２】光警報制御装置の機能構成を示したブロック図
【図３】光警報装置の機能構成を示したブロック図
【図４】制御電文の形式を示した回路図
【図５】制御電文の送信による発光制御を示したタイムチャート
【図６】図５に続いて中継指示電文を送信して中継制御を行った場合の発光制御を示したタイムチャート
【図７】中継制御電文の送信と発光タイミングが重複した場合の中継動作と重複を回避するための中継動作を対比して示したタイムチャート
【図８】発光期間に電文送信を休止する第１モードの動作を示したタイムチャート
【図９】発光期間に休止コードを送信する第２モードの動作を示したタイムチャート
【図１０】４値ＦＳＫによる電文コードと休止コードの送信動作を示したタイムチャート
【図１１】発光期間の前後に休止開始コードと休止終了コードを送信する第３モードの動作を示したタイムチャート
【図１２】光警報制御装置の制御動作を示したフローチャート
【図１３】光警報装置の制御動作を示したフローチャート
【発明を実施するための形態】
【００３４】
［警報システム］
（警報システムの構成）
図１は制御電文の無線通信により光警報制御を行う警戒システムの実施形態を示したブロック図である。
【００３５】
図１に示すように、本実施形態の警報システムは、Ｐ型の自動火災報知システムを例にとっており、火災受信機１０からは警戒区域に向けて電源兼用信号線となる感知器回線１２を複数回線引き出して複数の火災感知器１４を接続しており、回線終端には終端装置（終端抵抗）１６を接続している。
【００３６】
火災受信機１０は、受信制御部２０を備え、受信制御部２０に対し回線受信部２２、表示部２４、操作部２５、警報部２６及び移報部２８を設けている。
【００３７】
受信制御部２０は、例えばプログラムの実行により実現される機能であり、ハードウェアとしてはＣＰＵ、メモリ、各種の入出力ポート等を備えたコンピュータ回路等を使用する。
【００３８】
回線受信部２２は火災受信機１０に内蔵した電源から所定の直流電圧ＶＬ、例えばＶＬ＝ＤＣ２４ボルトを火災感知器１４に電源電圧として供給している。また、回線検出部２２は火災感知器１４の火災検出により感知器回線１２に流れる発報電流を検出して回線電流検出信号を受信制御部２０に出力し、受信制御部２０は回線受信部２２からの回線電流検出信号が所定の火災発報レベル以上となることを検出して火災発報を判定する。
【００３９】
また、感知器回線１２には通常監視状態（非発報状態）において終端装置１６で決まる所定の回線監視電流が流れており、感知器回線１２が断線すると回線監視電流が流れなくなり、受信制御部２０は回線受信部２２からの回線電流検出信号が所定値以下に低下したことを検知して断線障害を判定する。
【００４０】
表示部２４には、火災代表灯、地区表示灯、その他火災監視に必要な各種の表示灯や液晶ディスプレイ等を設けている。操作部２５には、主音響停止スイッチ、地区音響停止スイッチ、移報停止スイッチ等の火災監視に必要な各種のスイッチを設けている。警報部２６はブザーやスピーカを備え、音響警報やメッセージ警報を出力する。移報部２８は他の機器に火災移報信号を出力する。
【００４１】
（光警報制御機能）
このような自動火災報知システムの構成及び機能は、従来システムと同じであるが、これに加えて本実施形態にあっては、火災受信機１０の外部に光警報制御装置３０を配置して移報部２８から移報信号線を接続し、また、警戒区域に無線式の光警報装置３２−１〜３２−３を配置している。なお、以下の説明で、光警報装置３２−１〜３２−３を区別する必要がない場合は光警報装置３２という場合がある。
【００４２】
光警報制御装置３０は火災受信機１０の移報部２８から火災移報信号を受信すると光警報制御を指示するための制御電文を生成して光警報装置３２−１〜３２−３に無線送信し、光警報制御を行わせる。光警報制御装置３０による制御電文の送信は、光警報装置３２−１〜３２−３の間欠受信に対応し、所定の送信時間Ｔ１と送信休止時間Ｔ２からなる送信周期Ｔ０を複数回、例えば３回繰り返し、各送信時間Ｔ１の間に制御電文を複数回連続して送信する。
【００４３】
光警報装置３２−１〜３２−３は、光警報制御装置３０から送信した制御電文を受信し、高輝度ＬＥＤやフラッシュライト等を用いた発光部の発光制御により設置場所に対応した所定の光度をもつ白色光又は赤色光を点滅し、点滅する光により火災の発生を報知する光警報を行う。
【００４４】
光警報装置３２による光警報の点滅周波数は０．５Ｈｚ以上、２Ｈｚ以下、即ち発光周期Ｔｆは０．５以上、２．０秒以下であり、発光パルス幅Ｔｗは０．２秒（２００ｍｓ）を超えないようにしている。
【００４５】
また、光警報装置３２は、所定の間欠受信周期毎にキャリアセンスを行う間欠受信を行っており、キャリアセンスにより光警報制御装置３０からの送信電波を検出すると継続受信に切り替わって光警報制御装置３０から送信した制御電文を受信し、受信した制御電文の内容に基づき、発光部の発光制御を開始し、所定の発光周期Ｔｆで発光制御を繰り返して光警報を報知する。
【００４６】
また、光警報制御装置３０及び光警報装置３２−１〜３２−３には固有の識別情報となるＩＤが予め割り当てられている。
【００４７】
また、光警報制御装置３０は、制御電文を送信して登録したＩＤで指定される全ての送信先となる光警報装置３２から確認応答電文ＡＣＫを受信しなかった場合に、中継送信を指示する中継指示電文を生成して送信する。
【００４８】
また、制御電文の受信により発光制御中の光警報装置３２は、光警報制御装置３０から中継指示電文を受信した場合、中継制御電文を生成して送信するが、中継制御電文の送信中に発光タイミングが重複する場合は、発光タイミングとの重複を回避するように中継制御電文を中継送信する。
【００４９】
（光警報制御装置の構成）
図２は図１に設けた光警報制御装置の機能構成を示したブロック図である。図２に示すように、光警報制御装置３０は、制御部３４、移報信号線を入力接続した移報入力部３６及びアンテナ４０を接続した通信部３８を備え、火災受信機１０からの電源又は専用電源で動作する。
【００５０】
制御部３４は、例えばプログラムの実行により実現される機能であり、ハードウェアとしてはＣＰＵ、メモリ、各種の入出力ポート等を備えたコンピュータ回路等を使用する。移報入力部３６は図１に示した火災受信機１０の受信制御部２０が火災感知器１４の火災発報を検出して火災警報を行った場合に移報部２８から出力される火災移報信号の入力を検出し、制御部３４に火災信号を出力する。
【００５１】
通信部４０は警戒区域に設置している光警報装置３２との間で電文の送受信を行う。通信部３８は、日本国内の場合には例えば４００ＭＨｚ帯の特定小電力無線局の標準規格に従った無線通信を行っており、４２６．２５００ＭＨｚ〜４２６．８３７５ＭＨｚの１２．５ＫＨｚの帯域を持つ４８チャンネルの何れかの使用を可能とする。
【００５２】
また、通信部３８の変調方式は、例えば４値ＦＳＫ（４値周波数シフトキーイング）とする。４値ＦＳＫは、シフト周波数−ｆ，−ｆ／３，＋ｆ／３，＋ｆの４つシフト周波数に符号０，１，２，３を割り当て、本実施形態では電文コードのビット０にシフト周波数の最小値−ｆを割当て、ビット１にシフト周波数の最大値＋ｆを割り当てている。
【００５３】
制御部３４は、警報システムの運用開始に先立ち、自己のメモリに通信先とする光警報装置３２−１〜３２−３の識別情報としてＩＤ１〜ＩＤ３を予め登録している。
【００５４】
また、制御部３４は、移報入力部３６からの火災信号の入力を検出した場合、光制御を行うための制御電文を生成し、通信部３８に指示して送信する制御を行う。
【００５５】
ここで、光警報制御装置から送信する制御電文は例えば図３に示す信号形式となる。図３に示すように、制御電文は、スタートコード、送信元ＩＤ、通信制御コード、制御内容、光制御時間情報及びチェックサムで構成している。また、制御電文のサイズは１００ビット程度となる。
【００５６】
また、制御部３４は、火災信号を検出した場合、所定の送信時間Ｔ１と送信休止時間Ｔ２からなる送信周期Ｔ０を複数回、例えば３回設定し、各送信時間Ｔ１の間に制御電文の送信を複数回、例えば４個の制御電文Ｄ１〜Ｄ４，Ｄ５〜Ｄ８，Ｄ９〜Ｄ１２の送信を３回に分けて繰り返すと共に、光警報装置３２側で制御電文Ｄ１〜Ｄ１２を受信した場合の発光周期Ｔｆ内における電文の所定の位置、例えば電文受信終了から発光開始までの発光待ち時間情報Ｔｓ１〜Ｔｓ１２を各制御電文Ｄ１〜Ｄ１２の光制御時間情報にセットして送信する制御を行い、光警報装置３２に、受信した制御電文に含まれる発光待ち時間情報Ｔｓ１〜Ｔｓ１２の何れかにより発光部の発光を開始させ、発光周期Ｔｆによる発光を繰り返させる。以下、発光待ち時間情報Ｔｓ１〜Ｔｓ１２を区別する必要がない場合は、発光待ち時間情報Ｔｓ又はＴｓｉとする場合がある。ここで、ｉは電文の順番又は個数を示すｉ＝１，２，３，・・・ｎの整数となる。
【００５７】
また、制御部３４は、登録ＩＤと確認応答電文の送信元ＩＤとの比較により、制御電文の送信に対し全ての送信先から確認応答電文ＡＣＫを受信しないことを判別した場合に、中継送信を指示する中継指示電文Ｒを送信する制御を行い、これを受信した発光制御中の光警報装置３２に、中継制御電文を生成して中継送信させる。
【００５８】
また、制御部３４は、所定の定期通報時間毎に、通信部３８に指示して定期通報電文を送信し、これに対する確認応答電文ＡＣＫを全ての光警報装置３２から受信すると正常と判断し、確認応答電文ＡＣＫが得られない光警報装置３２がある場合は、障害警報を出力する制御を行う。なお、定期通報電文に対し確認応答電文ＡＣＫが得られない光警報装置３２がある場合、制御部３４は中継送信を指示する定期通報の中継指示電文を送信する制御を行い、中継送信を含めた定期通報電文の送信により、全ての光警報装置３２からの確認応答電文ＡＣＫの受信を可能としている。
【００５９】
このような光警報制御装置３０の制御機能は、図５及び図６を参照して後の説明で明らかにする。
【００６０】
（光警報装置の構成）
図４は図１に設けた光警報装置の機能構成を示したブロック図である。図４に示すように、光警報装置３２は、制御部４２、アンテナ４６を接続した通信部４４、及び発光部４８を備え、図示しない電池電源により動作する。
【００６１】
制御部４２は、例えばプログラムの実行により実現される機能であり、ハードウェアとしてはＣＰＵ、メモリ、各種の入出力ポート等を備えたコンピュータ回路等を使用する。
【００６２】
通信部４４は警戒区域に設置している光警報装置３２との間で電文の送受信を行うと共に、光警報制御装置３０からの電波が届かない場所に設置している他の光警報装置に対する制御電文の中継送信を行う。通信部４４は、日本国内の場合には例えば４００ＭＨｚ帯の特定小電力無線局の標準規格に従った無線通信を行う。また、通信部４４の変調方式は、図２の光警報制御装置３０の通信部３８と同様に４値ＦＳＫとする。
【００６３】
また、通信部４４は通常監視状態で間欠受信を行っている。通信部４４による間欠受信の周期は、図２の光警報制御装置３０の通信部３８による送信時間Ｔ１により短い時間となる所定周期に設定し、この間欠受信周期毎にキャリアセンス行い、キャリアセンスができれば継続受信に切り替えて光警報制御装置３０からの電文受信を可能とする。
【００６４】
発光部４８には高輝度ＬＥＤやフラッシュライト等とその駆動回路を設けており、制御部４２から発光指示を受けた場合、予め設定した発光周期Ｔｆ、例えばＴｆ＝２秒の周期で例えばＴｗ＝２００ミリ秒の発光期間となる点滅を繰り返す。
【００６５】
制御部４２は、通信部４４を介して光警報制御装置３０からの制御電文の受信を検出した場合、制御電文に光制御時間情報としてセットしている発光待ち時間情報Ｔｓを取得し、制御電文の受信終了でタイマを起動し、タイマ時間が発光待ち時間情報Ｔｓに達した場合に、発光部４８に発光駆動を指示する制御を行い、発光部４８に発光周期Ｔｆ毎に発光駆動を繰り返して光の点滅により光警報を報知する動作を行わせる。
【００６６】
また、制御部４２は制御電文を受信して発光制御を開始すると、通信部４４に指示して確認応答電文ＡＣＫを送信する制御を行う。ここで、確認応答電文ＡＣＫの送信タイミングは、光警報装置３２のＩＤなどに対応して異なる遅延時間を決めており、複数の光警報装置３２からの確認応答電文ＡＣＫの衝突を回避可能としている。
【００６７】
また、制御部４２は、制御電文の受信に基づく発光制御中に、通信部４４を介して光警報制御装置３０からの中継指示電文ＲＣの受信を検出した場合、通信部４４に指示し、送信時間Ｔ１と送信休止時間Ｔ２からなる送信周期Ｔ０を例えば３回設定し、各送信時間Ｔ１の間に中継制御電文Ｒの送信を例えば４回繰り返すと共に、中継指示電文ＲＣから得られた発光待ち時間情報Ｔｒ０を、電文の中継に要する電文毎の中継所要時間ΔＴｉを加味して補正した中継発光待ち時間情報Ｔｒｉを中継制御電文Ｒに含めて中継送信する制御を行い、中継先の光警報装置３２に、間欠受信により最初に有効受信した中継制御電文Ｒに含まれる中継発光待ち時間情報Ｔｒｉにより発光を開始して発光周期Ｔｆによる発光を繰り返させる。
【００６８】
ここで、光警報装置３２の中継所要時間ΔＴｉは、光警報制御装置３０からの中継指示電文ＲＣの受信終了から光警報装置３２による中継制御電文Ｒの中継送信終了までの時間とし、中継制御電文Ｒ毎に異なった時間となる。
【００６９】
また、制御部４２は、中継制御電文の送信中に発光部４８の発光タイミングが重複する場合、発光部４８の発光との重複を回避するように中継制御電文を中継送信する制御を行う。この発光タイミングとの重複を回避する中継送信の制御には、
（１）発光中に電文送信を休止する第１モード
（２）発光中に休止コードを送信する第２モード
（３）発光前後に休止開始コードと休止終了コードを送信する第３モード
があり、必要に応じて何れかのモードを採用する。
【００７０】
また、制御部４２は、通信部４４を介して光警報制御装置３０からの定期通報電文の受信を検出した場合、確認応答電文ＡＣＫを送信する制御を行う。また、制御部４２は、通信部４４を介して光警報制御装置３０からの定期通報の中継指示電文の受信を検出した場合、通信部４４に指示し、送信時間Ｔ１と送信休止時間Ｔ２からなる送信周期Ｔ０を例えば３回設定し、各送信時間Ｔ１の間に定期通報に中継制御電文の送信を例えば４回繰り返す制御を行い、これに対し中継先から定期通報の確認応答電文ＡＣＫを受信した場合は、これを光警報制御装置３０に中継送信する制御を行う。
【００７１】
このような光警報制御装置３０及び光警報装置３２の制御機能は、図５及び図６を参照して後の説明で明らかにする。
【００７２】
［警報システムによる光警報制御］
図５は制御電文の送信による発光制御を示したタイムチャートであり、図５（Ａ）は火災発報を示し、図５（Ｂ）は光警報制御装置による電文送信を示し、図５（Ｃ）は光警報装置の発光制御を示し、図５（Ｄ）は光警報装置の中継制御を一部示す。
【００７３】
また、図６は図５に続いて中継指示電文を送信して中継制御を行った場合の発光制御を示したタイムチャートであり、図６（Ａ）は火災発報を示し、図６（Ｂ）は光警報制御装置による電文送信を示し、図６（Ｃ）は光警報装置の発光制御を示し、図６（Ｄ）は光警報装置の中継制御を示し、図６（Ｅ）は中継先での発光制御を示す。
【００７４】
さらに、図７は中継制御電文の送信と発光タイミングが重複した場合の中継動作と重複を回避するための中継動作を対比して示したタイムチャートであり、図７（Ｂ）は光警報制御装置による電文送信を示し、図７（Ｃ）は発光タイミングとの重複を考慮せずに行う光警報装置の中継制御を示し、図７（Ｄ）は発光タイミングとの重複を考慮して行う光警報装置の中継制御を示す。
【００７５】
（制御電文の送信による光警報制御）
図５（Ａ）の時刻ｔ１で火災受信機１０により火災発報を検出して火災警報を出力したとすると、その移報部２８からの火災移報信号が光警報制御装置３０に与えられ、図５（Ｂ）の時刻ｔ２から制御電文の送信動作を開始する。
【００７６】
光警報制御装置３０の送信動作は、送信時間Ｔ１と送信休止時間Ｔ２を合わせた送信周期Ｔ０を３回設定しており、各回の送信時間Ｔ１の間に制御電文Ｄ１〜Ｄ４，Ｄ５〜Ｄ８，Ｄ９〜Ｄ１２を繰り返し送信している。
【００７７】
１回目の送信時間Ｔ１の電文送信を例にとると、制御電文Ｄ１〜Ｄ４の各々には、発光制御時間情報として、発光待ち時間情報Ｔｓ１〜Ｔｓ４を含めている。先頭の制御電文Ｄ１を例にとると、発光待ち時間情報Ｔｓ１は、制御電文Ｄ１の送信終了時刻ｔ３から図５（Ｂ）の送信先の光警報装置３２で発光を開始する時刻ｔ７までの時間となる。残りの制御電文Ｄ２〜Ｄ４にも同様にして発光待ち時間情報Ｔｓ２〜Ｔｓ４を含めており、最初の発光待ち時間情報Ｔｓ１から制御電文の１回の送信時間（Ｔ１／４）ずつ短くした時間となる。
【００７８】
具体的には、先頭の制御電文Ｄ１の送信終了から発光を開始するまでの発光待ち時間情報Ｔｓ１を予め決めておけば、残りの発光待ち時間情報Ｔｓ２〜Ｔｓ４は一義的に決まる。
【００７９】
制御電文Ｄ１〜Ｄ４を受信する光警報装置３２は、間欠受信によるキャリアセンスを行っており、例えば最初の送信時間Ｔ１に送信する制御電文Ｄ１〜Ｄ４のどれを受信するかはキャリアセンスのタイミングに依存する。しかしながら、制御電文Ｄ１〜Ｄ４の何れを受信した場合も、それぞれの電文受信終了から発光待ち時間情報Ｔｓ１〜Ｔｓ４を経過した時間は同じ時刻ｔ７となり、時刻ｔ７で発光制御を開始する。
【００８０】
また、光警報制御装置３０からの制御電文Ｄ１〜Ｄ４は、図１に示した光警報装置３２−１，３２−２で受信しており、制御電文Ｄ１〜Ｄ４の受信がそれぞれ異なっても、発光タイミングは同じ時刻ｔ７となり、このため光警報装置３２−１，３２−２の光の点滅が一致する同期発光を行うことができる。
【００８１】
この点は２回目及び３回目の送信時間Ｔ１に送信する電文Ｄ５〜Ｄ８，Ｄ９〜Ｄ１２についても同様である。
【００８２】
（電文中継による光警報制御）
図５で３回に亘る制御電文Ｄ１〜Ｄ１２の送信が終了すると時刻ｔ８から光警報装置３２からの確認応答電文ＡＣＫの受信が行われる。この確認応答電文ＡＣＫの受信により得られた光警報装置３２のＩＤと予め登録している送信先のＩＤとを照合し、全ての光警報装置３２から確認応答電文ＡＣＫが得られていないことを判別すると，時刻ｔ９で中継指示電文ＲＣを送信する。
【００８３】
例えば図１の光警報装置３２−１，３２−２の確認応答電文ＡＣＫは得られたが、離れた場所に配置している光警報装置３２−３の確認応答電文ＡＣＫが得られなった場合である。
【００８４】
光警報制御装置３０から送信する中継指示電文ＲＣには、中継指示電文ＲＣの送信終了時刻ｔ１０から現在発光制御中の次の発光周期Ｔｆの開始時刻ｔ１３までの時間となる中継発光待ち時間情報Ｔｒ０を含めて送信する。これ以降の動作は、図６を参照して説明する。
【００８５】
図６（Ｂ）に示すように、時刻ｔ９で送信を開始した中継指示電文ＲＣは、現在、発光制御中で且つ継続受信となっている図１の光警報装置３２−１，３２−２で受信され、中継指示電文ＲＣの受信終了から中継制御に必要な所望の動作時間を経て中継制御電文Ｒの送信を開始する。
【００８６】
この中継制御電文の送信も、図６（Ｄ）に示すように、送信時間Ｔ１と送信休止時間Ｔ２を合わせた送信周期Ｔ０を３回設定し、各回の送信時間Ｔ１の間に中継制御電文Ｒ１〜Ｒ４、Ｒ５〜Ｒ８、Ｒ９〜Ｒ１２を繰り返し送信している。
【００８７】
ここで、１回目の送信時間Ｔ１で送信する中継制御電文Ｒ１〜Ｒ４の内、発光タイミングとなる時刻ｔ３より前の中継制御電文Ｒ１〜Ｒ３には、中継指示電文ＲＣから得られた中継発光待ち時間情報Ｔｒ０を、それぞれの中継所要時間ΔＴ１〜ΔＴ３を加味して補正した中継発光待ち時間情報Ｔｒ１〜Ｔｒ３を含めて送信している。また、発光タイミングとなる時刻ｔ３より後の中継制御電文Ｒ４には、中継指示電文ＲＣから得られた中継発光待ち時間情報Ｔｒ０を、中継所要時間ΔＴ４と発光期間Ｔｗを加味して補正した中継発光待ち時間情報Ｔｒ４を含めて送信している。
【００８８】
この点は、２回目の送信時間Ｔ１で送信する中継制御電文Ｒ５〜Ｒ８、及び３回目の送信時間Ｔ１で送信する中継制御電文Ｒ９〜Ｒ１２も、発光タイミングとなる時刻ｔ１５，ｔ１６の前か後ろかにより、１回目の中継制御電文Ｒ１〜Ｒ４と同様にして求めた中継発光待ち時間情報Ｔｒ５〜Ｔｒ８，Ｔｒ９〜Ｔｒ１２を含めて送信している。
【００８９】
（発光タイミングとの重複を考慮しない中継制御）
図６（Ｄ）の中継制御電文Ｄ１〜Ｄ１２の中継送信において、時刻ｔ１３，ｔ１５，ｔ１６の発光タイミングとの重複を考慮しない場合に中継発光待ち時間情報Ｔｒ１〜Ｔｒ１２の算出を説明する。
【００９０】
まず、送信所要時間ΔＴｉは、例えば最初の中継制御電文Ｒ１を例にとると、中継指示電文ＲＣの受信終了時刻ｔ１０から中継制御電文Ｒ１の送信終了時刻ｔ１１までの時間ΔＴ１であり、中継制御電文Ｒ１の送信終了時刻ｔ１１から発光制御中の次の発光時刻ｔ１３までの時間となる中継発光待ち時間情報Ｔｒ１は、
Ｔｒ１＝Ｔｒ０−ΔＴ１
として求まる。
【００９１】
次の発光時刻ｔ１３に至る前の中継制御電文Ｒ２も、同様にして次式のように求まる。
Ｔｒ２＝Ｔｒ０−ΔＴ２
次の中継制御電文Ｒ３の終了時刻ｔ１３は発光時刻に一致しており、この場合には発光制御はできないことから、中継発光待ち時間情報Ｔｒ０を発光周期Ｔｆだけずらして（Ｔｒ０＋Ｔｆ）とし、これから中継所要時間ΔＴ３を差し引いて中継発光待ち時間情報Ｔｒ３を次式で求める。
Ｔｒ３＝（Ｔｒ０＋Ｔｆ）−ΔＴ３＝Ｔｆ
【００９２】
以下同様にして中継制御電文Ｒ４〜Ｒ１２について中継発光待ち時間情報Ｔｒ４〜Ｔｒ１２を求めると次のようになる。
Ｔｒ４＝（Ｔｒ０＋Ｔｆ）−ΔＴ４
Ｔｒ５＝（Ｔｒ０＋Ｔｆ）−ΔＴ５
Ｔｒ６＝（Ｔｒ０＋２Ｔｆ）−ΔＴ６＝Ｔｆ
Ｔｒ７＝（Ｔｒ０＋２Ｔｆ）−ΔＴ７
Ｔｒ８＝（Ｔｒ０＋２Ｔｆ）−ΔＴ８
Ｔｒ９＝（Ｔｒ０＋３Ｔｆ）−ΔＴ９＝Ｔｆ
Ｔｒ１０＝（Ｔｒ０＋３Ｔｆ）−ΔＴ１０
Ｔｒ１１＝（Ｔｒ０＋３Ｔｆ）−ΔＴ１１
Ｔｒ１２＝（Ｔｒ０＋３Ｔｆ）−ΔＴ１２
【００９３】
このような中継発光待ち時間情報Ｔｒ１〜Ｔｒ１２は、発光制御中となっている光警報装置３２の発光周期Ｔｆにより発光時刻が決まることから、一義的に求めることができる。
【００９４】
（発光タイミングとの重複を考慮した中継制御）
図６（Ｄ）に示す中継制御電文Ｒ１〜Ｒ１２の内、中継電文Ｒ４，Ｒ７，Ｒ１０に、図６（Ｃ）の発光タイミングが時刻ｔ１３，ｔ１５，ｔ１６で重複している。
【００９５】
この中継制御電文と発光タイミングの重複は図７（Ｃ）（Ｄ）に時間軸を拡大して示している。即ち、１回目の送信時間Ｔ１の最後となる時刻ｔ１３で送信を開始した中継制御電文Ｄ４は、同じく時刻ｔ１３で開始した発光期間Ｔｗの発光に重複しており、このままでは発光駆動による電池電源の消費電流の増加により、送信動作が不安定となり、ビット化け等の通信障害を起こす。
【００９６】
そこで本実施形態にあっては、図７（Ｄ）に示すように、例えば時刻ｔ１３における発光期間Ｔｗに亘る発光との重複を回避するため、発光タイミングとなる時刻ｔ１３以降に送信している中継制御電文Ｒ４の送信時間を発光期間Ｔｗだけずらして送信するようにしている。この点は２回目及び３回目の送信時間の電文送信も同様であり、２回目の送信時間では、時刻ｔ１５以降の中継制御電文Ｒ７，Ｒ８を発光期間Ｔｗだけずらして送信し、また、３回目の送信時間では、時刻ｔ１６以降の中継制御電文Ｒ１０〜Ｒ１２を発光期間Ｔｗだけずらして送信している。
【００９７】
このため図７（Ｅ）のように発光タイミングとの重複を回避するように中継制御電文Ｒ１〜Ｒ１２を送信する場合に、中継制御電文Ｒ１〜Ｒ１２に含める中継発光待ち時間情報Ｔｒ１〜Ｔｒ１２は次のようになる。
【００９８】
Ｔｒ１＝Ｔｒ０−ΔＴ１
Ｔｒ２＝Ｔｒ０−ΔＴ２
Ｔｒ３＝（Ｔｒ０＋Ｔｆ）−ΔＴ３＝Ｔｆ
Ｔｒ４＝（Ｔｒ０＋Ｔｆ）−（ΔＴ４＋Ｔｗ）
Ｔｒ５＝（Ｔｒ０＋Ｔｆ）−ΔＴ５
Ｔｒ６＝（Ｔｒ０＋２Ｔｆ）−ΔＴ６＝Ｔｆ
Ｔｒ７＝（Ｔｒ０＋２Ｔｆ）−（ΔＴ７＋Ｔｗ）
Ｔｒ８＝（Ｔｒ０＋２Ｔｆ）−（ΔＴ８＋Ｔｗ）
Ｔｒ９＝（Ｔｒ０＋３Ｔｆ）−ΔＴ９＝Ｔｆ
Ｔｒ１０＝（Ｔｒ０＋３Ｔｆ）−（ΔＴ１０＋Ｔｗ）
Ｔｒ１１＝（Ｔｒ０＋３Ｔｆ）−（ΔＴ１１＋Ｔｗ）
Ｔｒ１２＝（Ｔｒ０＋３Ｔｆ）−（ΔＴ１２＋Ｔｗ）
【００９９】
即ち、発光タイミングとの重複を回避するためにずらした中継制御電文Ｒ４，Ｒ７，Ｒ８，Ｒ１０〜Ｒ１２の中継発光待ち時間情報Ｔｒ４，Ｔｒ７，Ｔｒ８，Ｔｒ１０〜Ｔｒ１２のそれぞれを、発光タイミングとの重複を考慮しない場合の時間より発光期間Ｔｗだけ短くなるように補正している。
【０１００】
このようにして図１の光警報装置３２−１が中継送信した中継制御電文Ｒ１〜Ｒ１２は、光警報装置３２−３で受信され、例えば１回目の中継制御電文Ｒ１〜Ｒ４のどれの受信であっても、発光タイミングは同じ時刻ｔ１７となり、このため既に発光制御中の光警報装置３２−１，３２−２の光の点滅が一致する同期発光を中継先の光警報装置３２−３でも行うことができる。
【０１０１】
（発光待ち時間情報）
上記の実施形態は、発光待ち時間情報Ｔｓｉとして、実時間（例えばミリ秒）としているが、これ以外に、警報システムで使用するビットレート（ｂｐｓ）におけるビット数を発光待ち時間情報としても良い。
【０１０２】
また、電文長Ｔｄの電文をｎ個連送する場合（ｎは電文数を示すｎ＝１，２，３，・・・となる整数）、何個目の電文かを示すｎの部分を情報としても良い。
【０１０３】
また、電文長Ｔｄの電文をｎ個連送し、現在送信中のｍ個目の電文送信終了から電文連送終了までの時間Ｔｄ×（ｎ−ｍ）とした場合、現在送信中の電文を示すｍの部分を発光待ち時間情報としても良い。
【０１０４】
また、ｎ個の電文を送信し終わった後に、予め定めた所定の時間Ｔｓｆｉｘ経過後に発光というような発光待ち時間情報としても良い。
【０１０５】
さらに、電文により送信する発光待ち時間情報と、予め定めた所定の時間Ｔｓｆｉｘを加減算した値を発光待ち時間情報としても良い。この点は、中継発光待ち時間情報Ｔｒｉについても同様である。
【０１０６】
（第１モードによる発光と中継送信の重複回避）
図８は発光期間に電文送信を休止する第１モードの動作を示したタイムチャートであり、図８（Ａ）に発光タイミングを示し、図８（Ｂ）に中継制御電文の送信を示している。
【０１０７】
図８に示すように、第１動作モードでは、例えば８ビットの電文コードＡ〜Ｇで構成した中継制御電文の送信中に、電文コードＣの送信が終了した時刻ｔ１のタイミングで発光を開始したとすると、時刻ｔ２までの発光期間Ｔｗのあいだ、電文コードの送信を休止し、時刻ｔ２で発光が終了した場合に、残りの電文コードＤ〜Ｇの送信を再開する。
【０１０８】
このように第１動作モードでは、発光部による発光期間Ｔｗを含む所定の時間（以下、第２，第３モードでも同じ）のあいだ中継制御電文の送信を休止するようにしたため、中継送信中に発光タイミングが到来しても中継送信と干渉を起こすことがなく、中継送信を伴う制御電文の送信により複数の光警報装置での光の点滅を一致させる光警報の同期発光を可能とする。
【０１０９】
（第２モードによる発光と中継送信の重複回避）
図９は発光期間に休止コードを送信する第２モードの動作を示したタイムチャートであり、図９（Ａ）に発光タイミングを示し、図９（Ｂ）に中継制御電文の送信を示している。
【０１１０】
図９に示すように、第２動作モードでは、例えば８ビットの電文コードＡ〜Ｇで構成した中継制御電文の送信中に、電文コードＣの送信が終了した時刻ｔ１のタイミングで発光を開始したとすると、時刻ｔ２までの発光期間Ｔｗのあいだ、電文コードには使用していない所定の休止コード５０を送信し、時刻ｔ２で発光が終了した場合に、休止コード５０の送信を停止して残りの電文コードＤ〜Ｇを送信する。
【０１１１】
発光期間Ｔｗのあいだ送信する休止コードとしては、例えば、２進の休止コード「０１０１０１０１」、２進でオール０となる休止コード「００００００００」、又は、中継制御電文に含まれたパリティチェックコードの反転値を送信する。勿論、これ以外に適宜の特殊コードを休止コードとしても良い。
【０１１２】
このように第２モードは、発光期間Ｔｗの間に休止コード５０を送信するようにしたため、中継先の光警報装置３２は、休止コード５０の受信により中継制御電文の中継送信の休止を認識して、その間に受信した電文内容を無視し、光制御の誤動作を確実に防止可能とする。
【０１１３】
また、休止コード５０の送信中に中継先の光警報装置３２の間欠受信によるキャリアセンスが行われると、間欠受信から継続受信に切り替わり、休止コード５０に続いて送信される中継制御電文コードを確実に受信して同期発光となる光制御を行うことを可能とする。
【０１１４】
（４値ＦＳＫによる休止コードの送信）
図１０は４値ＦＳＫによる電文コードと休止コードの送信動作を示したタイムチャートである。
【０１１５】
図４に示した光警報装置３２の通信部４４は４値ＦＳＫによる変復調を行っており、図１０に示すように、４値ＦＳＫは、シフト周波数−ｆ，−ｆ／３，＋ｆ／３，＋ｆの４つのシフト周波数に符号０，１，２，３を割り当て、電文コードのビット０にシフト周波数の最小値−ｆを割当て、ビット１にシフト周波数の最大値＋ｆを割り当てている。
【０１１６】
一方、発光期間Ｔｗのあいだ送信する休止コード５０のビット０にシフト周波数の一方の中間値−ｆ／３を割当て、ビット１にシフト周波数の他方の中間値＋ｆ／３を割り当てて、中間２値のシフト周波数−ｆ／３，＋ｆ／３を使用して休止コード５０を送信する。
【０１１７】
このように休止コード５０を４値ＦＳＫの中間２値の周波数で送信するようにしたため、中継先となる光警報装置３２は、４値ＦＳＫの中間２値の周波数を受信して復調した休止コード５０は無視し、４値ＦＳＫにおける最小及び最大の２値の周波数を受信して復調した電文コードを有効として処理することで、中継元の光警報装置３２の発光動作による影響を受けることなく、中継制御電文を確実に受信して同期発光となる光制御を行うことを可能とする。
【０１１８】
（第３モードによる発光と中継送信の重複回避）
図１１は発光期間の前後に休止スタートコードと休止終了コードを送信する第３モードの動作を示したタイムチャートであり、図１１（Ａ）に発光タイミングを示し、図１１（Ｂ）に中継制御電文の送信を示している。
【０１１９】
図１１に示すように、第３動作モードでは、例えば８ビットの電文コードＡ〜Ｇで構成した中継制御電文の送信中に、時刻ｔ１のタイミングでの発光開始が発光周期Ｔｆから予定されたとすると、時刻ｔ１の発光開始前に休止開始コード６０を送信し、時刻ｔ１〜ｔ２となる発光期間Ｔｗのあいだは電文送信を休止し、時刻ｔ２で発光終了となった場合に休止終了コード７０を送信し、休止開始コード６０の前に例えば電文コードＡ〜Ｃを送信し、休止終了コード７０の後に残りの電文コードＤ〜Ｇを送信している。
【０１２０】
このように第３モードは、発光期間Ｔｗの前に中継制御電文の送信を休止して所定の休止開始コード６０を送信すると共に、発光期間Ｔｗの後に休止終了コード７０を送信してから中継制御電文の送信を再開するようにしたため、中継先の光警報装置３２は、休止開始コード６０と休止終了コード７０の受信により発光タイミングに重複した中継制御電文の送信休止を認識して、その間に受信した電文内容を無視し、光制御の誤動作を確実に防止可能とする。
【０１２１】
なお、第３モードにおいては、休止スタートコードと休止終了コードの間に、電文送信を休止するのでなく、第２モードで示したような休止コードを送信してもよい。
【０１２２】
（光警報制御装置の制御動作）
図１２は光警報制御装置の制御動作を示したフローチャートである。図１２に示すように、図２の光警報制御装置３０の制御部３４は、ステップＳ１で火災受信機１０からの火災移報信号の受信を検出すると、ステップＳ２に進んで発光待ち時間情報Ｔｓ１〜Ｔ４を発光制御時間情報として含む制御電文Ｄ１〜Ｄ４を生成し、例えば３回の送信時間Ｔ１に分けて制御電文Ｄ１〜Ｄ４を繰り返し送信する。
【０１２３】
続いてステップＳ３に進んで光警報装置３２からの確認応答電文ＡＣＫを受信し、全ての確認応答電文ＡＣＫを受信しなかった場合はステップＳ５に進み、そのときの中継発光待ち時間情報Ｔｒを含む中継指示電文ＲＣを送信する。
【０１２４】
（光警報装置の制御動作）
図１３は光警報装置の制御動作を示したフローチャートである。図１３に示すように、図４の光警報装置３２に設けた制御部４２は、ステップＳ１１で間欠受信周期への到達を検出するとステップＳ１２に進んでキャリアセンスの有無を判別し、キャリアセンスを判別するとステップＳ１３に進み、間欠受信動作から継続受信動作に切り替える。
【０１２５】
続いてステップＳ１４で制御電文の受信を検出するとステップＳ１５に進み、受信した制御電文に含まれた発光待ち時間情報Ｔｓに基づき発光周期Ｔｆにより発光を繰り返す発光制御を開始する。
【０１２６】
続いてステップＳ１６で確認応答電文ＡＣＫの送信を行い、続いてステップＳ１７で中継指示電文の受信を検出するとステップＳ１８に進み、中継送信と発光タイミングとの重複がないことを判別するとステップＳ１９に進み、中継所要時間ΔＴにより補正した中継発光待ち時間情報Ｔｒを含む中継制御電文Ｒを生成し、ステップＳ２０で中継発光待ち時間情報Ｔｒを含む中継制御電文Ｒを中継送信し、中継先の光警報装置３２で他の光警報装置３２と同期した光の点滅、即ち同期発光による光警報の報知を行う。
【０１２７】
続いてステップＳ２１で３回の送信時間に分けて４回ずつ連続して行う中継制御電文の送信終了でない場合はステップＳ１８に戻り、中継送信と発光タイミングとの重複を判別した場合はステップＳ２２に進み、中継所要時間ΔＴと発光期間Ｔｗにより補正した中継発光待ち時間情報Ｔｒを含む中継制御電文Ｒを生成し、ステップＳ２２に進んで例えば第１モードの場合は、発光期間Ｔｗのあいだ送信を休止を入れて中継制御電文を中継送信し、ステップＳ２１で全ての中継制御電文の送信を中継送信を判別するまでステップＳ１８〜Ｓ２３の処理を繰り返す。
【０１２８】
［本発明の変形例］
上記の実施形態は、感知器回線単位に火災を監視するＰ型の火災受信機を例にとっているが、伝送回線にアドレスを設定した火災感知器を接続し、アドレス単位に火災を監視するＲ型の火災受信機であっても良い。
【０１２９】
また、本発明はその目的と利点を損なうことのない適宜の変形を含み、更に上記の実施形態に示した数値による限定は受けない。
【符号の説明】
【０１３０】
１０：火災受信機
１２：感知器回線
１４：火災感知器
１６：終端装置
２０：受信制御部
２２：回線受信部
２４：表示部
２５：操作部
２６：警報部
２８：移報部
３０：光警報制御装置
３２：光警報装置
３４，４２：制御部
３６：移報入力部
３８，４４：通信部
４８：発光部
５０：休止コード
６０：休止開始コード
７０：休止終了コード
【図１】
0006577204.tif 000002
【図２】
0006577204.tif 000003
【図３】
0006577204.tif 000004
【図４】
0006577204.tif 000005
【図５】
0006577204.tif 000006
【図６】
0006577204.tif 000007
【図７】
0006577204.tif 000008
【図８】
0006577204.tif 000009
【図９】
0006577204.tif 000010
【図１０】
0006577204.tif 000011
【図１１】
0006577204.tif 000012
【図１２】
0006577204.tif 000013
【図１３】
0006577204.tif 000014